(57)【要約】【課題】ケース内部への不正器具の挿入が困難な基板ケースを備えた遊技機を提供する。【解決手段】主制御基板２２を収納する基板ケース２５を構成するベース部材３０の縁部に沿って延在するベース側溝部３９と、基板ケース２５を構成するカバー部材５０におけるベース側溝部３９の形成側縁部に形成されてベース側溝部３９と平行に延在するカバー側溝部５９と、ベース部材３０に形成されてカバー側溝部５９に延出端部が臨むベース側規制壁部３６,３７と、カバー部材５０に形成されてベース側溝部３９に延出端部が臨むカバー側規制壁部５２,５３とを備え、各溝部３９,５９および規制壁部３６,３７,５２,５３により形成される間隙Ｓが収納空間２５ａの内外方向に交差する方向へ複数回折り返す蛇行形状をなすよう構成した。【選択図】図９
2015047310.tif 000002
【特許請求の範囲】
【請求項１】
ベース部材とカバー部材との間に画成された収納空間に、制御用電子部品を実装した制御基板が収納された基板ケースを備えた遊技機において、
前記ベース部材の縁部に沿って延在するよう形成され、前記カバー部材側に開口するベース側溝部と、
前記カバー部材側に形成されて前記ベース部材側に開口し、該ベース部材と組み付けた状態で前記ベース側溝部の形成側縁部に位置すると共に該ベース側溝部と平行に延在するカバー側溝部と、
前記ベース部材に形成されて前記カバー部材側に延出すると共に前記溝部に沿って延在し、前記カバー側溝部に延出端部が臨むベース側規制壁部と、
前記カバー部材に形成されて前記ベース部材側に延出すると共に前記溝部に沿って延在し、前記ベース側溝部に延出端部が臨むカバー側規制壁部とを備え、
前記ベース側溝部に前記カバー側規制壁部が臨むと共に前記カバー側溝部に前記ベース側規制壁部が臨む状態で、前記ベース部材およびカバー部材を、前記収納空間を開放する位置および該収納空間を閉塞する位置に、当該ベース側溝部およびカバー側溝部の延在方向に沿って相対的にスライド変位させ得るよう構成されると共に、各溝部および規制壁部により形成される間隙が前記収納空間の内外方向に交差する方向へ複数回折り返す蛇行形状をなすよう構成された
ことを特徴とする遊技機。
【請求項２】
前記ベース側溝部またはカバー側溝部の内壁面の一部を前記制御基板の外周端面が形成する請求項１記載の遊技機。
【請求項３】
前記ベース側溝部の内壁面を前記ベース側規制壁部が形成すると共に、前記カバー側溝部の内壁面を前記カバー側規制壁部が形成する請求項１または２記載の遊技機。
【請求項４】
前記ベース側溝部およびカバー側溝部の何れかを形成する内壁面に第１の係合部が形成されると共に、
前記第１の係合部が形成された前記ベース側溝部またはカバー側溝部に対応する前記ベース側規制壁部またはカバー側規制壁部に、当該第１の係合部と係合可能な第２の係合部が形成され、
前記ベース部材およびカバー部材を前記開放位置から閉塞位置に相対的にスライド変位させた際に、前記第１および第２の係合部が圧接して、閉塞位置から開放位置へのスライド変位を抑制するよう構成された請求項１〜３の何れか一項に記載の遊技機。
【請求項５】
前記ベース部材およびカバー部材の一方には、前記制御基板に対向する対向壁部における前記スライド方向の端部より前記収納空間側に、該ベース部材およびカバー部材の他方部材側へ向けて突出する側方規制部が形成され、
前記ベース部材およびカバー部材の他方部材は、前記側方規制部が形成された対向壁部に、前記収納空間を画成する外壁部の端面が臨むと共に、該外壁部における収納空間側の内側面が側方規制部に臨んで、外壁部および側方規制部が収納空間の内外方向に重なるよう構成された請求項１〜４の何れか一項に記載の遊技機。
【発明の詳細な説明】
【技術分野】
【０００１】
本発明は、制御基板を収納する基板ケースを備えた遊技機に関するものである。
【背景技術】
【０００２】
パチンコ機に代表される遊技機は、遊技内容に関わる制御を実行する種々の制御基板を備えている。これら制御基板には、遊技内容に関わるプログラムを記憶したＲＯＭが搭載されているため、不正なプログラムが記憶されたＲＯＭを搭載した不正な制御基板と交換されることを防ぐことは、遊技機において重要な課題の１つとなっている。ここで、遊技機では、ベース部材とカバー部材とからなる基板ケースに制御基板を収納している(例えば、特許文献１参照)。
【０００３】
特許文献１の基板ケースでは、ベース部材とカバー部材とを組み付けた後、ベース部材およびカバー部材に形成されたカシメ部が分離不能に固定される。このような構成の基板ケースでは、カシメ部を破断しない限り開封することができないから、カシメ部が破断された痕跡によって基板ケースの開放行為がなされたことを認識できる。
【先行技術文献】
【特許文献】
【０００４】
【特許文献１】特開２０１３−１２１４４１号公報
【発明の概要】
【発明が解決しようとする課題】
【０００５】
しかしながら、近年は不正行為者の不正行為が巧妙化しており、前述したカシメ部の破断痕等の不正行為の痕跡を基板ケースに明瞭に残すことなく不正行為が行われてしまう場合もある。このため、カシメ部のように不正行為が行われた場合にその痕跡を残留させる不正行為対策だけでなく、不正行為自体を困難にするための対策も希求されている。
【０００６】
そこで本発明は、従来の技術に内在する前記問題に鑑み、これらを好適に解決するべく提案されたものであって、ケース内部への不正器具の挿入が困難な基板ケースを備えた遊技機を提供することを目的とする。
【課題を解決するための手段】
【０００７】
前記課題を解決し、所期の目的を達成するため、本発明の請求項１に係る発明は、
ベース部材(30)とカバー部材(50)との間に画成された収納空間(25a)に、制御用電子部品(23a)を実装した制御基板(22)が収納された基板ケース(25)を備えた遊技機において、
前記ベース部材(30)の縁部に沿って延在するよう形成され、前記カバー部材(50)側に開口するベース側溝部(39)と、
前記カバー部材(50)側に形成されて前記ベース部材(30)側に開口し、該ベース部材(30)と組み付けた状態で前記ベース側溝部(39)の形成側縁部に位置すると共に該ベース側溝部(39)と平行に延在するカバー側溝部(59)と、
前記ベース部材(30)に形成されて前記カバー部材(50)側に延出すると共に前記溝部(39,59)に沿って延在し、前記カバー側溝部(59)に延出端部が臨むベース側規制壁部(36,37)と、
前記カバー部材(50)に形成されて前記ベース部材(30)側に延出すると共に前記溝部(39,59)に沿って延在し、前記ベース側溝部(39)に延出端部が臨むカバー側規制壁部(52,53)とを備え、
前記ベース側溝部(39)に前記カバー側規制壁部(52,53)が臨むと共に前記カバー側溝部(59)に前記ベース側規制壁部(36,37)が臨む状態で、前記ベース部材(30)およびカバー部材(50)を、前記収納空間(25a)を開放する位置および該収納空間(25a)を閉塞する位置に、当該ベース側溝部(39)およびカバー側溝部(59)の延在方向に沿って相対的にスライド変位させ得るよう構成されると共に、各溝部(39,59)および規制壁部(36,37,52,53)により形成される間隙(S)が前記収納空間(25a)の内外方向に交差する方向へ複数回折り返す蛇行形状をなすよう構成されたことを要旨とする。
この構成では、ベース側溝部、および該ベース側溝部に突出端部が臨むカバー側規制壁部と、カバー側溝部、および該カバー側溝部に突出端部が臨むベース側規制壁部とにより形成される基板ケースの間隙が収納空間の内外方向に交差する方向へ複数回折り返す蛇行状をなすよう構成される。従って、不正行為者が基板ケースの間隙から不正器具を挿入して制御基板の表面または裏面に到達させようとしても、挿入した器具が収納空間に至る前の間隙において当該器具の進行方向を複数回変更しなければならず、制御基板の表面または裏面に当該器具を至らせることが困難となる。同様に、不正器具を挿入した場合には、挿入した器具を回収するために収納空間に至る間隙において当該器具の進行方向を複数回変更しなければならず、当該不正器具を容易に回収することができない。このように、不正器具の侵入を困難にするだけでなく、不正行為の目的が完了するまでに時間を必要とさせることにより、不正行為の実行を断念させることに繋がる。すなわち、制御基板に対して基板ケースの外側から改変を加える不正行為を防止できる。
【０００８】
請求項２に係る発明は、
前記ベース側溝部(39)またはカバー側溝部(59)の内壁面の一部を前記制御基板(22)の外周端面(24)が形成することを要旨とする。
この構成では、ベース側溝部またはカバー側溝部の内壁面の一部を制御基板の外周端面が形成し、基板ケースの蛇行状の間隙(不正器具の侵入経路)に制御基板の外周端面が臨む構成とすることで、間隙に差し込んだ不正器具による痕跡が制御基板の端部に残り易くなる。すなわち、異常の有無を点検する際に重点的に観察される制御基板自体に痕跡を残すことで、不正行為の実施の早期発見に寄与することができる。しかも、制御基板の基板面への不正器具の侵入を困難にすることで、不正行為の目的が達成されるのを防止できる。
【０００９】
請求項３に係る発明では、
前記ベース側溝部(39)の内壁面を前記ベース側規制壁部(36,37)が形成すると共に、前記カバー側溝部(59)の内壁面を前記カバー側規制壁部(52,53)が形成することを要旨とする。
この構成では、ベース部材においてベース側溝部の内壁面をベース側規制壁部が形成すると共に、カバー部材においてカバー側溝部の内壁面をカバー側規制壁部が形成することで、ベース部材およびカバー部材の間の間隙が収納空間の内外方向に交差する方向へ複数回折り返す蛇行状をなすよう基板ケースを構成しつつ、各溝部および各規制壁部の延在方向と交差する方向における基板ケースの幅を小さく構成することができる。
【００１０】
請求項４に係る発明では、
前記ベース側溝部(39)およびカバー側溝部(59)の何れかを形成する内壁面に第１の係合部(38a,38b)が形成されると共に、
前記第１の係合部(38a,38b)が形成された前記ベース側溝部(39)またはカバー側溝部(59)に対応する前記ベース側規制壁部(36,37)またはカバー側規制壁部(52,53)に、当該第１の係合部(38a,38b)と係合可能な第２の係合部(58a,58b)が形成され、
前記ベース部材(30)およびカバー部材(50)を前記開放位置から閉塞位置に相対的にスライド変位させた際に、前記第１および第２の係合部(38a,38b,58a,58b)が圧接して、閉塞位置から開放位置へのスライド変位を抑制するよう構成されたことを要旨とする。
この構成では、ベース部材およびカバー部材を閉塞位置にスライド変位させた際に圧接して当該ベース部材およびカバー部材の開放位置へ向けたスライド変位を規制する第１および第２の係合部を、ベース側溝部の内壁面とカバー側規制壁部、またはカバー側溝部の内壁面とベース側規制壁部の関係で係合可能に形成することで、ベース側溝部やカバー側溝部の溝幅に余裕を設けても、当該溝幅方向におけるベース部材およびカバー部材の相対変位を係合部同士の圧接により規制できるから、ベース部材およびカバー部材のスライド変位の容易性を担保することができる。また、第１および第２の係合部が圧接することで、前記溝幅方向にベース部材およびカバー部材を相対変位させて不正器具を挿入する間口を形成することが困難となるから、基板ケースに対する不正器具の侵入を抑止できる。
【００１１】
請求項５に係る発明は、
前記ベース部材(30)およびカバー部材(50)の一方(30)には、前記制御基板(22)に対向する対向壁部(31)における前記スライド方向の端部より前記収納空間(25a)側に、該ベース部材(30)およびカバー部材(50)の他方部材(50)側へ向けて突出する側方規制部(35)が形成され、
前記ベース部材(30)およびカバー部材(50)の他方(50)は、前記側方規制部(35)が形成された対向壁部(31)に、前記収納空間(25a)を画成する外壁部(55)の端面が臨むと共に、該外壁部における収納空間(25a)側の内側面が側方規制部(35)に臨んで、外壁部(55)および側方規制部(35)が収納空間(25a)の内外方向に重なるよう構成されたことを要旨とする。
この構成では、ベース部材およびカバー部材の一方側を構成する対向壁部に、他方側の外壁部の端面が臨み、かつ当該外壁部が、ベース部材およびカバー部材の一方側に形成された側方規制部に対して収納空間の内外方向に重なって臨むよう構成することで、不正行為者が基板ケースの間隙から不正器具を挿入して制御基板の表面または裏面に到達させようとしても当該器具の進行方向を基板ケースの内側で変更しなければならず、制御基板の表面または裏面に当該器具を至らせることが困難となるから、不正行為の目的が達成されるのを防止できる。
【発明の効果】
【００１２】
本発明に係る遊技機によれば、基板ケース内部へ器具を挿入する行為を抑止することができる。
【図面の簡単な説明】
【００１３】
【図１】本発明の実施例に係るパチンコ機の背面図である。
【図２】実施例に係る主制御装置の正面図である。
【図３】実施例に係る主制御装置の分解斜視図であって、嵌挿突片の形成位置および第１の上内壁部および第２の上内壁部の形成位置を拡大して示す。
【図４】図２のＡ−Ａ線断面図であって、側方規制部の形成位置を拡大して示す。
【図５】実施例に係るベース部材の正面図である。
【図６】実施例に係るカバー部材の背面図である。
【図７】図２をＡ−Ａ線で切断した状態での基板ケースの一部拡大図であり、(ａ)は閉塞位置にある状態を示し、(ｂ)は開放位置にある状態を示している。
【図８】(ａ)は図７のＢ−Ｂ線断面図であって上側のベース側溝部の形成位置を拡大して示しており、(ｂ)は図７のＣ−Ｃ線断面図であって上側のベース側溝部の形成位置を拡大して示している。
【図９】図２のＤ−Ｄ線断面図であって、カバー側上外壁部における切欠き凹部の形成位置で破断すると共に、カバー側下外壁部におけるスライドフックの形成位置で破断した状態を示す要部拡大図である。
【図１０】図２のＥ−Ｅ線断面図であって、上下のカバー側外壁部における第２の上下の内壁部の形成位置で破断した状態を示す要部拡大図である。
【図１１】変更例に係る基板ケースの要部拡大図である。
【発明を実施するための形態】
【００１４】
次に、本発明に係る遊技機につき、好適な実施例を挙げて、添付図面を参照しながら以下詳細に説明する。なお、実施例では、遊技球としてパチンコ球を用いて遊技が行われるパチンコ機を例に挙げて説明する。また、以下の説明において、「前」、「後」、「左」、「右」とは、特に断りのない限り、パチンコ機を前側(遊技者側)から見た状態で指称する。
【実施例】
【００１５】
(パチンコ機の構成について)
図１に示すように、実施例のパチンコ機１０には、外部球供給設備から供給されるパチンコ球を貯留する球タンク１３が裏面側に配設されると共に、前面側の球受け皿に連通する球供給路やパチンコ機１０が設置される設置枠台の球回収設備に連通する球排出路等(何れも図示せず)が形成されたセット部材１４が配設されている。前記球タンク１３とセット部材１４とは、両部材１３,１４間に架設された球通路ユニット１５を介して連通接続されており、該球通路ユニット１５に配設された球払出装置１６の駆動により球タンク１３のパチンコ球が前記球受け皿へ給出されるよう構成されている。そして、遊技者の遊技操作に応じて球受け皿へ給出されたパチンコ球が遊技盤１１の遊技領域(図示せず)へ打ち出されて遊技に供された後に球排出路を介して球回収設備に回収されるようになっている。実施例のパチンコ機１０では、遊技盤１１の遊技領域に打ち出されたパチンコ球が図示しない所定の入賞口に入賞することで図柄表示装置において図柄変動演出が実行され、当該図柄表示装置に所定の当り表示が表示されることで、遊技者に有利な特別遊技が行われるようになっている。
【００１６】
また、パチンコ機１０の裏面側には、パチンコ機１０の電源制御を行う電源装置１３０、前記球払出装置１６を駆動制御する払出制御装置１３１、打球発射装置を駆動制御する発射制御装置１３２、図柄表示装置を駆動制御する演出制御装置１３３、外部端末に接続されるインターフェース基板１３４その他の各種制御装置が配設されており、これら各種制御装置がパチンコ機１０を総合的に制御する主制御装置２０に配線接続され、該主制御装置２０からの制御信号に基づいた制御が実行されるようになっている。すなわち、主制御装置２０は、パチンコ機１０の全体制御を実行する特に重要性の高い制御装置である。
【００１７】
(主制御装置について)
次に、前記主制御装置２０に関して説明する。なお、主制御装置２０に関しては、図２に示す状態を基準(正面)として「前」、「後」、「左」、「右」を指称する。前記主制御装置２０は、図３に示すように、制御用の電子部品２３ａが実装された主制御基板(制御基板)２２を、外側から内部を透視可能な基板ケース２５に収納して構成されている。主制御基板２２は、所要の回路パターンが形成された横長矩形板状に形成されて、主制御基板２２の片側面(以下、実装面２２ａという)に、ＣＰＵやＲＯＭ等の電子部品２３ａや配線接続用の複数のコネクタソケット２３ｂが実装されて、当該実装面２２ａと反対の面(以下、ハンダ面２２ｂという)において電子部品２３ａやコネクタソケット２２ｂがハンダ付けされている。すなわち、主制御基板２２は、電子部品２３ａ等の実装部品を実装面２２ａに集約させてハンダ面２２ｂ側に部品を実装しないよう構成することで、主制御基板２２の検査を容易に行い得るようにしている。
【００１８】
(基板ケースについて)
図３、図４に示すように、前記基板ケース２５は、前記主制御基板２２のハンダ面２２ｂ側を覆うベース部材３０と、主制御基板２２の実装面２２ａ側を覆うカバー部材５０とから矩形箱状に形成されて、両部材３０,５０により内部画成された収納空間２５ａに主制御基板２２が収納されている。前記ベース部材３０およびカバー部材５０の夫々は、透明な合成樹脂成形部材であって、基板ケース２５の全周に亘って収納空間２５ａの内部を透視し得るようになっている。そして、前記ベース部材３０を遊技盤１１側に向けた姿勢で、当該遊技盤１１の設置部１７に対して基板ケース２５(主制御装置２０)が着脱可能に配設され、主制御装置２０を取り外すことなくパチンコ機１０の背面側からカバー部材５０を介して主制御基板２２の実装面２２ａを透視し得るようになっている。
【００１９】
また、前記ベース部材３０およびカバー部材５０は、主制御基板２２の板面に沿う方向(実施例では左右方向)に相対的にスライド移動することで、前記収納空間２５ａがケース外部に開放すると共に両部材３０,５０を分離可能な開放位置(図７(ｂ)参照)と、当該収納空間２５ａが閉塞されると共にベース部材３０およびカバー部材５０を分離不能な閉塞位置(図４、図７(ａ)参照)とに変位させ得るよう構成されており、ベース部材３０およびカバー部材５０が閉塞位置にある状態において、後述する連結固定部９０(封止手段)９０により両部材３０,５０が開放位置に変位不能に連結固定されるようになっている。すなわち、開放位置および閉塞位置は、ベース部材３０およびカバー部材５０を相対的にスライド移動可能な限界位置である。ここで、実施例の基板ケース２５は、前記ベース部材３０およびカバー部材５０が閉塞位置にある状態で全幅が最も小さくなるよう構成されると共に、両部材３０,５０が開放位置にある状態で全幅が最も大きくなるよう構成されている。
【００２０】
(ベース部材について)
図３〜図５に示すように、前記ベース部材３０は、前記主制御基板２２のハンダ面２２ｂに対向して当該ハンダ面２２ｂを覆う矩形板状の対向壁部３１と、該ベース側対向壁部３１の上下および右の端部から前側(カバー部材５０側)へ向けて夫々立ち上がる上外壁部３２、下外壁部３３および右外壁部３４とを備え、当該ベース側対向壁部３１、上下の外壁部３２,３３および右外壁部３４により前方および左側方へ開口する箱状に構成されている。なお、以下の説明において、ベース部材３０における対向壁部３１および各外壁部３２,３３,３４の夫々に関して、カバー部材５０の構成と区別するべく「ベース側」を付加する場合がある。また同様に、カバー部材５０における後述する対向壁部５１および各外壁部５２,５３,５４,５５の夫々に関して、ベース部材３０の構成と区別するべく「カバー側」を付加する場合がある。
【００２１】
(ベース側溝部について)
前記ベース部材３０には、図５、図８、図９に示すように、前方(カバー部材５０側)に開口するベース側溝部３９,３９がベース部材３０の縁部(実施例では上下の縁部)沿って左右方向に延在するよう形成されており、ベース部材３０とカバー部材５０とを組み付ける際に、カバー部材５０に設けられた後述する上下のカバー側外壁部５２,５３の延出端部(後端部)が前側からベース側溝部３９,３９に差し込まれるようになっている。すなわち、ベース側溝部３９,３９に上下のカバー側外壁部５２,５３を臨ませることで、ベース部材３０に対してカバー部材５０を相対的にスライド移動可能な方向がベース側溝部３９,３９の延在方向に制限されて、ベース部材３０およびカバー部材５０を、前記収納空間２５ａを開放する開放位置および該収納空間２５ａを閉塞する閉塞位置に相対的にスライド移動させ得るよう構成されている。
【００２２】
具体的に、前記ベース部材３０は、図５に示すように、前記ベース側対向壁部３１においてベース側上外壁部３２の下方に離間する位置に、前方(カバー部材５０側)へ延出する上内壁部(ベース側規制壁部)３６が設けられると共に、当該ベース側対向壁部３１においてベース側下外壁部３３の上方に離間する位置に、前方(カバー部材５０側)へ延出する下内壁部(ベース側規制壁部)３７が設けられている。更に、前記ベース部材３０の上内壁部３６は、ベース側上外壁部３２と平行になるよう左右方向に延在する第１の上内壁部３６ａと、該第１の上内壁部３６ａよりもベース側上外壁部３２から離間すると共にベース側上外壁部３２と平行になるよう左右方向に延在する第２の上内壁部(摺接壁部)３６ｂとから構成されており、当該ベース側上外壁部３２と第１および第２の上内壁部３６ａ,３６ｂとの間に、前記カバー部材５０のカバー側上外壁部５２を前方から差し込み可能なベース側溝部３９が画成されている。同様に、前記ベース部材３０の下内壁部３７は、ベース側下外壁部３３と平行になるよう左右方向に延在する第１の下内壁部３７ａと、該第１の下内壁部３７ａよりもベース側下外壁部３３から離間すると共にベース側下外壁部３３と平行になるよう左右方向に延在する第２の下内壁部(摺接壁部)３７ｂとから構成されており、当該ベース側下外壁部３３と第１および第２の下内壁部３７ａ,３７ｂとの間に、前記カバー部材５０のカバー側下外壁部５３を前方から差し込み可能なベース側溝部３９が画成されている。
【００２３】
すなわち、ベース部材３０には、前記ベース側溝部３９として、上下のベース側外壁部３２,３３と対応する第１の上下の内壁部３６ａ,３７ａとの間に第１のベース側溝部３９ａが形成されると共に、上下のベース側外壁部３２,３３と対応する第２の上下の内壁部３６ｂ,３７ｂとの間に第１のベース側溝部３９ａより幅広い第２のベース側溝部３９ｂが形成されている。そして、第１のベース側溝部３９ａおよび第２のベース側溝部３９ｂの全長に亘って、対応する前記カバー部材５０の上下のカバー側外壁部５２,５３が差し込まれるようになっている。
【００２４】
ここで、前記第１の上内壁部３６ａおよび第１の下内壁部３７ａの夫々は、図４に示すように、ベース部材３０およびカバー部材５０を閉塞位置に保持した際に、各内壁部３６ａ,３７ａの左端部がカバー部材５０のカバー側左外壁部５５(後述)の内面に当接するよう構成されると共に、各内壁部３６ａ,３７ａの右端部が前記ベース側右外壁部３４から離間するよう構成されている。なお、図４には、第１の上内壁部３６ａおよびカバー側左外壁部５５の関係のみ図示してあるが、第１の下内壁部３７ａおよびカバー側左外壁部５５も同様の関係となっている。そして、各第１の上内壁部３６ａおよび第１の下内壁部３７ａの右端部に、前記第２の上内壁部３６ｂおよび第２の下内壁部３７ｂが連設するよう形成されて、当該第２の上内壁部３６ｂおよび第２の下内壁部３７ｂがベース側右外壁部３４に連設するようになっている。すなわち、ベース部材３０における上下の内壁部３６,３７は、前記収納空間２５ａを画成する左右の壁部(ベース側右外壁部３４およびカバー側左外壁部５５)の間の全長に亘って延在するよう形成されている。
【００２５】
また、図５、図８、図１０に示すように、上下の第２のベース側溝部３９ｂには、カバー部材５０に形成された上下の規制突部５８ａ,５８ｂ(後述)が第２のベース側溝部３９ｂに差し込まれて、当該第２のベース側溝部３９ｂの内部を上下の規制突部５８ａ,５８ｂがスライド移動するよう構成されている。ここで、ベース部材３０およびカバー部材５０を閉塞位置および開放位置に移動させた際に、前記第２のベース側溝部３９ｂの内部を上下の規制突部５８ａ,５８ｂがスライド移動可能な範囲で第２の上下の内壁部３６ｂ,３７ｂが形成されている。
【００２６】
(フック受部について)
また、図５、図７〜図９に示すように、前記上下のベース側溝部３９,３９の内部(具体的には、ベース側上外壁部３２およびベース側下外壁部３３と、対応する第１の上下の内壁部３６ａ,３７ａとの間)には、各ベース側溝部３９,３９の延在方向に離間した位置に、複数のフック受部４０が形成されている。なお、実施例のベース部材３０には、上下のベース側溝部３９,３９の夫々に４つのフック受部４０が形成されている。前記各フック受部４０は、対応する上下のベース側溝部３９,３９を画成する内底面(ベース側対向壁部３１)から前方へ離間した位置に形成されており、当該上下のベース側溝部３９,３９(第１のベース側溝部３９ａ,３９ａ)に差し込まれた前記上下のカバー側外壁部５２,５３のスライドフック６９(後述)が、ベース部材３０およびカバー部材５０を閉塞位置に保持した状態で、当該フック受部４０とベース側溝部３９の内底面(ベース側対向壁部３１)との間に前記スライドフック６９が差し込まれて、両部材３０,５０を前後に移動不能に位置決め保持するようになっている。
【００２７】
(係合凹部および凹状部について)
また、図３、図５に示すように、前記ベース側上外壁部３２およびベース側下外壁部３３の夫々には、前記ベース側溝部３９を画成する内壁面に、前後に延在する溝状の係合凹部(第１の係合部)３２ａ,３３ａが形成されており、前記ベース部材３０およびカバー部材５０を閉塞位置に相対的にスライド変位させた際に、各係合凹部３２ａ,３３ａに、カバー部材５０に設けられた後述する係合突部５７ａ,５７ｂが嵌合して、当該ベース部材３０およびカバー部材５０の閉塞位置から開放位置へのスライド変位を抑制するようになっている。また、前記上下のベース側外壁部３２,３３の夫々には、前記ベース側溝部３９を画成する内壁面において前記係合凹部３２ａ,３３ａの形成位置よりも左方向に離間する位置(ベース部材３０に対してカバー部材５０を閉塞位置から開放位置へ向けて相対的に変位させる方向に離間する位置)に、当該壁部３２,３３の厚みを小さくした凹状部３２ｂ,３３ｂが形成されている。この凹状部３２ｂ,３３ｂは、左右方向の所定範囲に亘って形成された幅広の凹部であって、ベース部材３０およびカバー部材５０を開放位置から閉塞位置に至る手前の間で相対的に変位させる際に、前記係合突部５７ａ,５７ｂが上下のベース側外壁部３２,３３に接触するのを防止している。すなわち、凹状部３２ｂ,３３ｂを形成することで、開放位置から閉塞位置に至る手前の範囲でベース部材３０およびカバー部材５０をスムーズにスライドさせ得るようになっている。
【００２８】
(側方規制部について)
また、図３〜図５に示すように、前記ベース部材３０の左端部には、前記ベース側対向壁部３１の左端部よりも右側(スライド方向の端部よりも収納空間２５ａ側)に、前方(カバー部材５０側)へ突出する側方規制部３５が上下方向に延在するよう形成されている。ここで、前記側方規制部３５は、前記カバー部材５０におけるカバー側左外壁部５５(後述)の厚み分だけベース側対向壁部３１の左端部から右側に位置するよう設けられており、側方規制部３５よりも左方向に突出したベース側対向壁部３１の突出部分の前面３１ａに、当該カバー側左外壁部５５の後端面(ベース部材３０側の端面)が対向して当接するよう構成されている。また、前記側方規制部３５は、前記上下の内壁部３６,３７の間の全幅に亘って延在するよう形成されており、当該上下の内壁部３６,３７の間の全幅に亘って側方規制部３５とカバー側左外壁部５５とが収納空間２５ａの内外方向に重なるよう構成されている。なお、ベース側対向壁部３１には、ベース側右外壁部３４、上下の内壁部３５,３６および側方規制部３５で囲まれた領域の前面側に、格子状に延在する補強リブ３１ｂが形成されている。
【００２９】
(嵌挿突片について)
図２〜図５に示すように、前記ベース部材３０には、前記ベース側対向壁部３１の左端部に外方(左側方)へ突出する嵌挿突片４７が設けられており、ベース部材３０およびカバー部材５０を開放位置から閉塞位置へスライド移動した際に、カバー部材５０に形成された後述の嵌挿筒部６７に、当該嵌挿突片４７が挿入されるようになっている。また、前記ベース側対向壁部３１には、前記嵌挿突片４７の上下位置に差込溝部４８,４８が形成されており、前記嵌挿突片４７を挿入した嵌挿筒部６７が差込溝部４８,４８に嵌合するよう構成されている。更に、前記差込溝部４８,４８は、前記側方規制部３５の形成位置まで延在するよう形成されており、前記閉塞位置において差込溝部４８,４８に嵌合した嵌挿筒部６７が側方規制部３５に当接して位置規制するようになっている。
【００３０】
また、前記ベース部材３０には、図３、図５、図８に示すように、上側のベース側溝部３９の内側および前方に開口するスリット状の差込受け部４４が形成されている。前記差込受け部４４は、前記ベース側右外壁部３４の上端部位置(後述する封印シール貼付部１１０の形成位置)に設けられており、前記第１のベース側溝部３９ａと左右方向に整列するようになっている。
【００３１】
(カバー部材について)
図３、図４、図６、図１０に示すように、前記カバー部材５０は、前記主制御基板２２の実装面２２ａに対向して当該実装面２２ａを覆う対向壁部５１と、該カバー側対向壁部５１の上下および左右の端部から後側(ベース部材３０側)へ向けて延出する上外壁部(カバー側規制壁部)５２、下外壁部(カバー側規制壁部)５３、右外壁部５４および左外壁部５５とを備え、当該カバー側対向壁部５１、上下左右の外壁部５２,５３,５４,５５により後方へ開口する箱状に構成されている。そして、前記カバー部材５０の後方開口の開口内側に臨むよう前記主制御基板２２が取り付けられている。ここで、前記主制御基板２２の上下寸法は、前記カバー部材５０の後方開口の上下方向の開口寸法よりも僅かに小さく形成されると共に、主制御基板２２の左右寸法は、カバー部材５０の後方開口の左右方向の開口寸法と略等しく形成されており、当該カバー部材５０の後方開口を主制御基板２２が塞ぐようになっている(図４参照)。
【００３２】
(カバー側対向壁部について)
前記カバー側対向壁部５１は、図３、図６、図９、図１０に示すように、後方へ開口する箱状に形成された箱状部５１ａと、当該箱状部５１ａの開口前端部に設けられて前記主制御基板２２の実装面２２ａを当接支持する平板状の支持壁部５１ｂとを備えた段差形状に形成されており、主制御基板２２に実装された電子部品２３ａを箱状部５１ａの内部(収納空間２５ａ)に収納した状態で、当該カバー側対向壁部５１に主制御基板２２が取り付けられている。すなわち、カバー部材５０の各外壁部５２,５３,５４,５５に囲まれた開口領域内側に位置するよう前記主制御基板２２がカバー側対向壁部５１に固定されている(図４参照)。ここで、前記支持壁部５１ｂは、前記主制御基板２２の実装面２２ａにおけるコネクタソケット２３ｂの配置領域に対応してカバー部材５０(カバー側対向壁部５１)の上部に位置するよう形成されて、該支持壁部５１ｂにおけるコネクタソケット２３ｂの対応位置に前後に開口するコネクタ開口５１ｃが開設されており、コネクタ開口５１ｃを介して基板ケース２５の外部に露出するコネクタソケット２３ｂに対して配線接続し得るようになっている。
【００３３】
ここで、前記支持壁部５１ｂは、前記カバー側右外壁部５４およびカバー側左外壁部５５の間の全長に亘って延在するよう設けられて、当該支持壁部５１ｂが主制御基板２２における実装面２２ａの上端前面位置の左右全幅に密着するよう構成されている。また、前記カバー側対向壁部５１において前記箱状部５１ａを画成する下面壁部５１ｄ(図９、図１０参照)が、主制御基板２２における実装面２２ａの下端前面位置の左右全幅に密着するよう構成されている。すなわち、前記支持壁部５１ｂおよび下面壁部５１ｄにより前記収納空間２５ａの上下が区画されて、収納空間２５ａ側への異物侵入を阻止するようになっている。
【００３４】
(カバー側外壁部)
前記上下左右のカバー側外壁部５２,５３,５４,５５の夫々は、図４に示すように、前記主制御基板２２の外周端面２４を囲繞する壁部である。そして、上下および左の各カバー側外壁部５２,５３,５５の後端が同一位置に位置するよう形成されて、ベース部材３０とカバー部材５０とを組み付けた際に、当該上下および左の各カバー側外壁部５２,５３,５５の後端が前記ベース対向板部３１の前面に当接するようになっている。一方で、前記カバー側右外壁部５４は、ベース部材３０とカバー部材５０とを組み付けた際に、前記ベース対向板部３１の前面から離間するよう形成されており、当該カバー側右外壁部５４がベース部材３０の補強リブ３１ａに干渉しないよう構成されている。
【００３５】
前記カバー側上外壁部５２は、図３、図９、図１０に示すように、前記カバー側対向壁部５１(支持壁部５１ｂ)の上端部から上方へ延出する延出片５２ａと、該延出片５２ａの延出端から後方へ延出する上ガイド壁部５２ｂとから構成されており、カバー部材５０およびベース部材３０を組み付ける際に、ベース部材３０に形成された上側のベース側溝部３９に上ガイド壁部５２ｂが差し込まれるようになっている。同様に、前記カバー側下外壁部５３は、前記カバー側対向壁部５１(支持壁部５１ｂ)から下方へ延出する延出片５３ａと、該延出片５３ａの延出端から後方へ延出する下ガイド壁部５３ｂとから構成されており、カバー部材５０およびベース部材３０を組み付ける際に、ベース部材３０に形成された下側のベース側溝部３９に下ガイド壁部５３ｂが差し込まれるようになっている。すなわち、前記カバー側上外壁部５２(具体的には上ガイド壁部５２ｂ)およびカバー側下外壁部５３(具体的には下ガイド壁部５３ｂ)の夫々は、前記ベース部材３０側に延出すると共にベース側溝部３９に沿って延在して、延出端部(後端部)が対応するベース側溝部３９に臨むよう構成されており、ベース部材３０に対するカバー部材５０のスライド方向を左右方向に規制するよう構成されている。このように、実施例の基板ケース２５において、前記上下のカバー側外壁部５２,５３の夫々は、前記ベース部材３０側に延出すると共にベース側溝部３９,３９に沿って延在するよう前記カバー部材５０に形成されて、ベース側溝部３９,３９に延出端部が臨むカバー側規制壁部としての機能を具備している。
【００３６】
また、図４に示すように、前記ベース部材３０およびカバー部材５０が閉塞位置にある状態において、前記カバー側右外壁部５４の外側面が、前記ベース側右外壁部３４の内側面に当接して、収納空間２５ａの内外方向に重なるよう構成されている。更に、前記ベース部材３０およびカバー部材５０が閉塞位置にある状態において、前記カバー側左外壁部５５の後端面(ベース部材３０側の端面)が、前記ベース側対向壁部３１の前面に対向して当接すると共に、該カバー側左外壁部５５の内側面の後端部に、前記ベース部材３０の側方規制部３５の外側面(左側面)が当接して、当該カバー側左外壁部５５および側方規制部３５が収納空間２５ａの内外方向に重なるよう構成されている。
【００３７】
(カバー側溝部について)
また、前記カバー部材５０には、図６に示すように、前記ベース部材３０およびカバー部材５０を組み付けた状態で、ベース部材３０に形成されたベース側溝部３９,３９と平行に延在すると共にベース部材３０側に開口するカバー側溝部５９,５９が形成されている。ここで、前記カバー側溝部５９,５９は、前記ベース側溝部３９,３９の形成側縁部にあたるカバー部材５０の上下の縁部の夫々に位置するよう設けられている。そして、カバー部材５０の上縁部に位置するカバー側溝部５９に、ベース部材３０の上内壁部３６(より具体的には第１の上内壁部３６ａ)の延出端部(前端部)が差し込まれると共に、カバー部材５０の下縁部に位置するカバー側溝部５９に、ベース部材３０の下内壁部３７(より具体的には第１の下内壁部３７ａ)の延出端部(前端部)が差し込まれるよう構成されている。すなわち、実施例の基板ケース２５において、前記上下の内壁部３６,３７(第１の上下の内壁部３６ａ,３７ａ)の夫々は、前記カバー部材５０側に延出すると共にカバー側溝部５９に沿って延在するよう前記ベース部材３０に形成されて、カバー側溝部５９に延出端部が臨むベース側規制壁部としての機能を具有している。そして、前述したベース側溝部３９,３９と同様に、前記上下のカバー側溝部５９,５９に対応した上下の内壁部３６,３７を臨ませることで、ベース部材３０に対してカバー部材５０を相対的にスライド移動可能な方向がカバー側溝部５９,５９の延在方向に制限されて、ベース部材３０およびカバー部材５０を、前記収納空間２５ａを開放する開放位置および該収納空間２５ａを閉塞する閉塞位置に相対的にスライド移動させ得るよう構成されている。
【００３８】
このように、実施例の基板ケース２５は、前記上側のベース側溝部３９にカバー側上外壁部５２(上ガイド壁部５２ｂ)が臨むと共に前記上側のカバー側溝部５９にベース部材３０の上内壁部３６(第１の上内壁部３６ａ)が臨む状態において、ベース部材３０におけるベース側上外壁部３２と、カバー側上外壁部５２(上ガイド壁部５２ｂ)と、上内壁部３６(第１の上内壁部３６ａ)とが収納空間２５ａの内外方向に重なり合うよう構成されて、各溝部３９,５９および壁部３２,５２,３６により形成される間隙Ｓが収納空間２５ａの内外方向に交差する方向へ複数回(実施例では２回)折り返す蛇行形状をなすようになっている(図９、図１０参照)。また同様に、実施例の基板ケース２５は、前記下側のベース側溝部３９にカバー側下外壁部５３(下ガイド壁部５３ｂ)が臨むと共に前記下側のカバー側溝部５９にベース部材３０の下内壁部３７(第１の下内壁部３７ａ)が臨む状態において、ベース部材３０におけるベース側下外壁部３３と、カバー側下外壁部５３(下ガイド壁部５３ｂ)と、下内壁部３７(第１の上内壁部３７ａ)とが収納空間２５ａの内外方向に重なり合うよう構成されて、各溝部３９,５９および壁部３３,５３,３７により形成される間隙Ｓが収納空間２５ａの内外方向に交差する方向へ複数回(実施例では２回)折り返す蛇行形状をなしている(図９、図１０参照)。
【００３９】
ここで、前記上側のカバー側溝部５９は、図９、図１０に示すように、前記カバー部材５０に取り付けられた主制御基板２２の上方位置に、当該基板２２の上端縁に沿って延在するよう設けられており、前記カバー側上外壁部５２を構成する延出片５２ａおよび上ガイド壁部５２ｂが上側のカバー側溝部５９の内壁面(上面および底面)を画成すると共に、カバー側対向壁部５１(支持壁部５１ｂの上端面)および主制御基板２２の上端面が上側のカバー側溝部５９の内壁面(下面)を画成するよう構成されている。同様に、前記下側のカバー側溝部５９は、前記カバー部材５０に取り付けられた主制御基板２２の下方位置に、当該基板２２の下端縁に沿って延在するよう設けられており、前記カバー側下外壁部５３を構成する延出片５３ａおよび上ガイド壁部５３ｂが下側のカバー側溝部５９の内壁面(下面および底面)を画成すると共に、カバー側対向壁部５１(下面壁部５１ｄの下面)および主制御基板２２の下端面が上側のカバー側溝部５９の内壁面(上面)を画成するよう構成されている。このように、実施例の主制御装置２０では、前記カバー側溝部５９,５９の内壁面の一部を主制御基板２２の外周端面２４が形成するよう構成されて、当該カバー側溝部５９,５９に臨ませた前記ベース部材３０の上下の内壁部３６,３７(より具体的には第１の上下の上内壁部３６ａ,３７ａ)に、主制御基板２２の外周端面２４が対向するようになっている。これにより、基板ケース２５の間隙Ｓに挿入した不正器具が主制御基板２２まで到達するのを困難にしている。
【００４０】
(スライドフックについて)
また、図３、図７に示すように、前記上下のカバー側外壁部５２,５３には、前記ベース部材３０に形成されたフック受部４０に係合するスライドフック(係合部)６９が複数設けられている。前記スライドフック６９は、前記カバー部材５０における前記上下のカバー側外壁部５２,５３(上下のガイド壁部５７ａ,５７ｂ)に、上下方向に開口するＬ字状の切欠き凹部６８を複数箇所(実施例では、各外壁部５２,５３に４箇所ずつ)に開設することで、上下のカバー側外壁部５２,５３の下端から右方(ベース部材３０に対してカバー部材５０を閉塞位置に移動させる方向)へ延出する鉤状に形成されている。すなわち、前記ベース側溝部３９,３９に前側から挿入した対応の上下のカバー側外壁部５２,５３(上下のガイド壁部５７ａ,５７ｂ)の延出端部(後端部)を、ベース側溝部３９,３９の内底面(ベース対向板部３１)に当接させた状態で、ベース部材３０およびカバー部材５０を相対的に閉塞位置にスライド移動することで、ベース対向板部３１とフック受部４０との間に各スライドフック６９が差し込まれると共に、切欠き凹部６８にフック受部４０が差し込まれて、ベース部材３０およびカバー部材５０が離間する方向(前方)へ離脱不能に係合するようになっている。
【００４１】
また、前記カバー部材５０には、図６、図８に示すように、前記カバー側右外壁部５４から外方へ突出する差込突片６４が形成されている。前記差込突片６４は、前記カバー側上外壁部５２と左右方向に整列する位置(後述する封印シール貼付部１１１の形成位置)に設けられており、ベース部材３０およびカバー部材５０を開放位置に保持した状態で、前記差込受け部４４における第１のベース側溝部３９ａ側の開口部と整列するようになっている。そして、ベース部材３０およびカバー部材５０を相対的に開放位置から閉塞位置にスライドさせた際に、差込受け部４４に対して差込突片６４が挿入されるようになっている。すなわち、ベース部材３０の差込受け部４４にカバー部材５０の差込突片６４が臨むことで、封印シール貼付部１１０,１１１の継ぎ目に挿入された不正部材の収納空間２５ａへの侵入を差込突片６４で阻止し得るよう構成されている。
【００４２】
(嵌挿筒部について)
図３、図６に示すように、前記カバー部材５０には、左右方向へ貫通する貫通孔６８ａを有する嵌挿筒部６８が前記カバー側左外壁部５５に設けられている。ここで、ベース側溝部３９,３９に対応の上下のカバー側外壁部５２,５３を挿入して前記ベース部材３０とカバー部材５０とを開放位置に保持した状態で、ベース部材３０に設けられた前記嵌挿突片４７の突出端部が前記嵌挿筒部６８の貫通孔６８ａと左右方向(スライド方向)に整列するよう構成されており、ベース部材３０およびカバー部材５０を開放位置から閉塞位置へ相対的にスライド移動させることで、嵌挿筒部６７に嵌挿突片４７が挿入されて両部材３０,５０が前後および上下方向に移動不能に移動規制されるようになっている。また、前記閉塞位置では、前記ベース部材３０の側方規制部３５に嵌挿筒部６７が当接するよう構成されており、ベース部材３０に対してカバー部材５０が右方向(開放位置から閉塞位置へのスライド方向)へ相対的に移動するのを好適に規制している。
【００４３】
(規制突部について)
図６、図８、図１０に示すように、前記カバー部材５０におけるカバー側上外壁部５２の内壁面(収納空間２５ａ側の壁面)には、カバー側右外壁部５４に近接した位置に、内側(収納空間２５ａ側)へ突出する上側規制突部(カバー側開放位置規定部)５８ａが形成されている。そして、上側規制突部５８ａは、ベース部材３０およびカバー部材５０を組み付けた際に、当該ベース部材３０におけるベース側上外壁部３２と、対応する第２の上内壁部３６ｂとの間に形成された前記第２のベース側溝部３９ｂに前側から差し込まれるよう構成されている。同様にカバー側下外壁部５３の内壁面(収納空間２５ａ側の壁面)には、カバー側右外壁部５４から離間した位置に、内側(収納空間２５ａ側)へ突出する下側規制突部(カバー側開放位置規定部)５８ｂが形成されている。そして、下側規制突部５８ｂは、ベース部材３０およびカバー部材５０を組み付けた際に、当該ベース部材３０におけるベース側下外壁部３３と、対応する第２の下内壁部３７ｂとの間に形成された前記第２のベース側溝部３９ｂに前側から差し込まれるようになっている。
【００４４】
ここで、図８に示すように、前記上側規制突部５８ａは、前記ベース部材３０に設けた第１の上内壁部３６ａの延長線上に位置すると共に、前記下側規制突部５８ｂは、ベース部材３０に設けた第１の下内壁部３７ａの延長線上に位置して、上下の規制突部５８ａ,５８ｂが対応する第１の上下の内壁部３６ａ,３７ａの右端部(係合端部３８ａ,３８ｂ)に対向するようになっている。従って、ベース部材３０およびカバー部材５０を相対的に閉塞位置から開放位置へ向けてスライド移動させた際に、各規制突部５８ａ,５８ｂの夫々が対応する第１の上下の内壁部３６ａ,３７ａの係合端部(右端部)３８ａ,３８ｂに当接(係合)して、ベース部材３０およびカバー部材５０を開放させるスライド動作が規制されるようになっている。すなわち、ベース部材３０およびカバー部材５０を閉塞位置から開放方向へスライド変位させる際に、上下の規制突部５８ａ,５８ｂが対応する第１の上下の内壁部３６ａ,３７ａの係合端部３８ａ,３８ｂに当接する位置が基板ケース２５の開放位置となっている。このように、実施例の基板ケース２５では、前記ベース部材３０において上下のベース側外壁部３２,３３より収納空間２５ａの内側に位置する上下の内壁部３６,３７の右端部となる係合端部３８ａ,３８ｂが、開放位置を規定するベース側開放位置規定部として機能すると共に、前記カバー部材５０において上下のカバー側外壁部５２,５３より収納空間２５ａの内側に位置する上下の規制突部５８ａ,５８ｂが、閉塞位置から開放位置へのスライド変位に伴い開放位置を規定するカバー側開放位置規定部として機能するよう形成されている。なお、図８には、上側規制突部５８ａと第１の上内壁部３６ａとの関係のみを拡大して図示してある。
【００４５】
ここで、上下の規制突部５８ａ,５８ｂが対応する第１の上下の内壁部３６ａ,３７ａに当接した際に、前記上下のカバー側外壁部５２,５３に設けたスライドフック６９が、ベース部材３０に形成されたフック受部４０に接触しないよう構成されている。すなわち、ベース部材３０およびカバー部材５０を開放した際にスライドフック６９とフック受部４０とが衝突して、上下のベース側外壁部３２,３３や上下のカバー側外壁部５２,５３が損傷するのを防止し、基板ケース２５の密閉性を損なわないようになっている。
【００４６】
また、図１０に示すように、前記ベース部材３０とカバー部材５０とを組み付けた状態で、ベース部材３０における前記第２の上下の内壁部３６ｂ,３７ｂの延出端部(前端部)が主制御基板２２のハンダ面２２ｂにおいて対応した上下の端縁部に摺接するよう構成されている。すなわち、開放位置および閉塞位置の間でスライドさせた際に、第２の上下の内壁部３６ｂ,３７ｂが主制御基板２２のハンダ面２２ｂの端縁部に摺接することで、前記上下の規制突部５８ａ,５８ｂの移動領域(第２のベース側溝部３９ｂ)を確保して当該規制突部５８ａ,５８ｂにより開放位置を規定し得るようにしつつ、基板ケース２５の間隙Ｓに挿入した不正器具が第２のベース側溝部３９ｂから主制御基板２２まで到達するのを困難にしている。
【００４７】
(係合突部について）
また、図３、図８に示すように、前記上下のカバー側外壁部５２,５３の外面には、ベース部材３０に設けられた係合凹部３２ａ,３３ａの凹形状と略一致する係合突部(第２の係合部)５７ａ,５７ｂが夫々形成されている。そして、前記ベース部材３０およびカバー部材５０を閉塞位置に相対的にスライド変位させた際に、前記係合突部５７ａ,５７ｂが各係合凹部３２ａ,３３ａに嵌合することで、当該ベース部材３０およびカバー部材５０を閉塞位置に仮止め保持し得るようになっている。
【００４８】
ここで、前記カバー側上外壁部５２に形成された係合突部５７ａの突出寸法は、カバー側上外壁部５２からベース側上外壁部３２までの間隔よりも大きく設定されると共に、カバー側上外壁部５２からベース側上外壁部３２に形成された凹状部３２ｂの対向面までの間隔よりも小さく設定されている。前記カバー側下外壁部５３に形成された係合突部５７ｂの突出寸法の関係も同様である。そして、前記各係合突部５７ａ,５７ｂは、ベース部材３０およびカバー部材５０が開放位置にある状態において、前記上下のベース側外壁部３２,３３に形成された前記凹状部３２ｂ,３３ｂに臨むと共に、ベース部材３０およびカバー部材５０が閉塞位置にある状態において、上下のベース側外壁部３２,３３に形成された係合凹部３２ａ,３３ａと対応するよう構成されて、両部材３０,５０が閉塞位置にある状態で、各係合突部５７ａ,５７ｂが対応する係合凹部３２ａ,３３ａと嵌合するようになっている。すなわち、ベース部材３０およびカバー部材５０を相対的に開放位置から閉塞位置に変位させる際に、当該閉塞位置に至る前に凹状部３２ｂ,３３ｂの端部(図８の右端部)に各係合突部５７ａ,５７ｂが干渉して、閉塞位置までスライド移動する間、各係合突部５７ａ,５７ｂが上下のベース側外壁部３２,３３に圧接するようになっており、基板ケース２５を閉じる際の衝撃を緩和し得るよう構成されている。また、実施例では、前記係合突部５７ａ,５７ｂが対応する係合凹部３２ａ,３３ａと嵌合した状態で、当該係合突部５７ａ,５７ｂが対応する上下のベース側外壁部３２,３３に圧接するよう構成されている。すなわち、前記係合突部５７ａ,５７ｂが対応する係合凹部３２ａ,３３ａと嵌合した状態において、上側の係合突部５７ａがベース側上外壁部３２を上方へ付勢するよう圧接すると共に、下側の係合突部５７ｂがベース側下外壁部３３を下方へ付勢するよう圧接して、カバー部材５０がベース部材３０の所定位置に保持し得るようになっている。
【００４９】
(連結固定部について)
次に、実施例の基板ケース２５における連結固定部９０について概略説明する。前記連結固定部９０は、図３〜図７に示すように、前記ベース部材３０に形成されたベース側連結部９１と、前記カバー部材５０に形成されたカバー側連結部９５と、これらの連結部９１,９５を固定する封止部材(図示せず)とから構成されている。ここで、封止部材は、ベース側連結部９１およびカバー側連結部９５を一旦連結固定した後に当該連結固定状態を解除不能に固定する従来公知の部材であり、実施例では工具を用いて締結方向にのみ操作可能なワンウェイネジが採用されている。なお、封止部材としては、ワンウェイネジに限られるものではなく、連結固定状態を解除不能な手段であれば従来公知の各種部材を採用可能である。
【００５０】
前記ベース側連結部９１は、図５に示すように、前記ベース部材３０のベース側右外壁部３４から外方(右側方)へ延出するよう形成された連結受け部９２の外周縁から前方へ延出するよう囲繞壁９３が形成されている。前記囲繞壁９３は、前記連結受け部９２の上下の端縁および右端縁から前方へ延出するよう設けられており、連結受け部９２の上面側で上方および左側方(収納空間２５ａ側)に開口する枠状に形成されている。また、連結受け部９２には、前記封止部材としてのワンウェイネジが螺挿されるネジ孔９２ａが形成されている。
【００５１】
また、前記カバー側連結部９５は、図６に示すように、前記カバー部材５０のカバー側右外壁部５４から外方(右側方)へ延出する破断用連結部９６,９６の延出端部に、前記ベース側連結部９１の囲繞壁９３に嵌合する連結嵌合部９７が設けられている。すなわち、ベース部材３０およびカバー部材５０を開放位置から閉塞位置に相対的にスライド移動させた際に、前記ベース側連結部９１における囲繞壁９３の左開口部を介して、当該囲繞壁９３の内側にカバー側連結部９５の連結嵌合部９７が嵌合して、当該連結嵌合部９７と連結受け部９２とが前後に重なるよう構成されている。また、前記連結嵌合部９７には、前記連結受け部９２のネジ孔９２ａと前後に整列する位置に、封止部材としてのワンウェイネジを挿入可能な挿入部９７ｃが前後に開口するよう形成されており、当該挿入部９７ｃに挿入したワンウェイネジを連結受け部９２のネジ孔９２ａに螺挿することで、ベース側連結部９１(ベース部材３０)およびカバー側連結部９５(カバー部材５０)が分離不能に連結固定されるようになっている。ここで、前記破断用連結部９６,９６は、カバー側右外壁部５４の上下に離間する２箇所から延出するよう形成されて、前記連結嵌合部９７の上下端部に連設する薄肉部であって、カッター等の切断工具により破断し得るよう構成されている。すなわち、ベース部材３０およびカバー部材５０を一旦連結固定した後に基板ケース２５を開封する必要がある場合には、破断用連結部９６,９６を破断することにより、カバー側連結部９５をカバー部材５０から分離して基板ケース２５を開封し得るよう構成されると共に、基板ケース２５の開封痕跡が残るようになっている。
【００５２】
ここで、前記囲繞壁９３における上縁部９３ａおよび下縁部９３ｂの離間寸法は、前記連結嵌合部９７の上下の幅寸法よりも僅かに小さくなるよう形成されている。すなわち、ベース部材３０およびカバー部材５０を開放位置から閉塞位置に相対的にスライド移動させて前記囲繞壁９３の内側に連結嵌合部９７が嵌合する際に、当該連結嵌合部９７が囲繞壁９３の上下の縁部９３ａ,９３ｂに圧接するようになっており、基板ケース２５を閉じる際の衝撃を緩和し得るよう構成されている。すなわち、実施例の基板ケース２５では、該基板ケース２５を開放位置から閉塞位置へ向けてスライド変位する際に、上下のカバー側外壁部５２,５３の係合突部５７ａ,５７ｂと、上下の外壁部３２,３３の外壁右端部３２ａ,３３ａとが圧接すると共に、ベース側連結部９１と、カバー側連結部９５とが圧接してスライド移動の抵抗となるよう構成されている。
【００５３】
また、図３，図５、図６に示すように、基板ケース２５には、前記ベース部材３０およびカバー部材５０を開放位置に変位不能に連結固定する予備連結固定部１００が設けられている。具体的に、前記ベース部材３０には、前記ベース側連結部９１の下方に予備連結固定部１００を構成するベース側予備連結部１０１が形成されると共に、前記カバー部材５０には、前記カバー側連結部９５の下方位置に予備連結固定部１００を構成するカバー側予備連結部１０５が設けられている。なお、ベース側予備連結部１０１の基本構成は、前記ベース側連結部９１と共通し、またカバー側予備連結部１０５の基本構成は、前記カバー側連結部９５と共通することから、同一符号を付して詳細な説明は省略する。この予備連結固定部１００は、前記連結固定部９０を破断して基板ケース２５を開封した後に、ベース部材３０およびカバー部材５０を暫定的に固定する際に用いられるものである。
【００５４】
なお、前記ベース部材３０におけるカバー側右外壁部５４の上部位置および前記カバー部材５０におけるカバー側右外壁部５４の上部位置には、外方(右側方)へ延出する封印シール貼付部１１０,１１１が夫々形成されており、ベース部材３０およびカバー部材５０を閉塞位置に変位した際に、封印シール貼付部１１０,１１１の継ぎ目を跨がるように図示しない封印シールを貼付し得るよう構成されている。また、封印シール貼付部１１０,１１１に貼付された封印シールは、外側から透視可能なシールカバー１１３(図１参照)により覆蓋保護されている。
【００５５】
(実施例の作用)
次に、前述した実施例に係るパチンコ機１０の作用に関して説明する。
【００５６】
前記主制御装置２０の基板ケース２５は、ベース部材３０における上下のベース側外壁部３２,３３および対応する上下の内壁部３６,３７の間に形成されたベース側溝部３９,３９に対して、カバー部材５０における上下のカバー側外壁部５２,５３を前側から挿入すると共に、当該カバー部材５０に対してベース側溝部３９,３９と平行に延在するよう形成されたカバー側溝部５９,５９に、上下の内壁部３６,３７(具体的には、第１の上下の内壁部３６ａ,３７ａ)を後方から挿入することで、当該ベース側溝部３９,３９およびカバー側溝部５９,５９の延在方向にベース部材３０およびカバー部材５０を相対的にスライドさせ得るようよう構成されている。すなわち、ベース部材３０におけるベース側上外壁部３２、上内壁部３６(第１の上内壁部３６ａ)およびカバー側上外壁部５２が収納空間２５ａの内外方向(上下方向)に重なると共に、ベース部材３０におけるベース側下外壁部３３、下内壁部３７(第１の下内壁部３７ａ)およびカバー側下外壁部５３が収納空間２５ａの内外方向(上下方向)に重なるよう構成されており、基板ケース２５に画成される間隙Ｓが収納空間２５ａの内外方向に交差する方向(前後方向)へ複数回折り返す蛇行状をなしている。
【００５７】
このため、ベース部材３０およびカバー部材５０を相対的にスライドさせて基板ケース２５を開閉するよう構成した場合に生ずる隙間(実施例では上下のベース側外壁部３２,３３と対応する上下のカバー側外壁部５２,５３との間の隙間)から挿入した不正器具を主制御基板２２の実装面２２ａまたはハンダ面２２ｂに到達させようとしても、ケース外部から収納空間２５ａに至る間隙Ｓにおいて当該器具の進行方向を複数回変更させなければならず、主制御基板２２の実装面２２ａやハンダ面２２ｂまで不正器具を至らせることが困難となるから、当該間隙Ｓを利用した不正行為を効果的に防止することが可能となる。更に、仮に主制御基板２２の実装面２２ａやハンダ面２２ｂまで不正器具を至らせ得たとしても、不正行為の痕跡となる不正器具を残置させないようにするには、当該不正器具を回収するために収納空間２５ａに至る間隙Ｓにおいて当該器具の進行方向を複数回変更させなければならず、当該不正器具を容易に回収することができない。このように、実施例の基板ケース２５では、ベース部材３０およびカバー部材５０を相対的にスライドさせて開閉させるために両部材３０,５０の間に生ずる間隙Ｓを利用したケース内部(収納空間２５ａ)への不正器具の侵入を困難にするだけでなく、不正行為の目的が完了するまでに大幅な時間が掛かるようにしたことで、不正行為の実行を断念させることに繋がり、高い不正効果の抑止効果を期待できる。すなわち、基板ケース２５に画成される間隙Ｓを、収納空間２５ａの内外方向に交差する方向(前後方向)へ複数回折り返す蛇行状に形成することで、基板ケース２５の外側から不正器具を挿入して主制御基板２２に改変を加える不正行為を効果的に防止できる。
【００５８】
実施例の基板ケース２５では、前記ベース側溝部３９,３９の内壁面を、延出端部がカバー側溝部５９,５９に臨む上下のベース側外壁部３２,３３が形成すると共に、カバー側溝部５９,５９の内壁面を、延出端部がベース側溝部３９,３９に臨む上下のカバー側外壁部５２,５３が形成している。すなわち、ベース部材３０およびカバー部材５０における上下の各外壁部３２,３３/５９,５９が溝部３９,３９/５９,５９を形成する手段および他方部材５０,３０の溝部３９,３９/５９,５９に差し込まれてスライド方向を規制する手段として機能するよう構成したことで、ベース部材３０およびカバー部材５０の間の間隙Ｓが収納空間２５ａの内外方向に交差する方向へ複数回折り返す蛇行状をなすよう基板ケース２５を構成して不正行為を防止しつつ、各溝部３９,３９/５９,５９の延在方向と交差する方向における基板ケース２５の幅をコンパクトにすることができる。
【００５９】
また、前記カバー側溝部５９,５９の内壁面の一部は、主制御基板２２の外周端面２４が形成し、不正器具の侵入経路となる基板ケース２５の蛇行状の間隙Ｓに主制御基板２２の外周端面２４が露出する構成としたことで、当該間隙Ｓに挿入された不正器具を主制御基板２２の外周端面２４に接触させることなく侵入させることは極めて困難になる。このため、前記間隙Ｓに不正器具を挿入して不正行為が行われた場合には、当該不正行為の痕跡(不正器具の接触に伴う傷等)を主制御基板２２の外周端面２４に残させることが可能となる。すなわち、異常の有無を点検する際に重点的に観察される主制御基板２２自体に不正行為の痕跡を残させることで、不正行為の実行の早期発見を図り得ると共に不正行為の見落としを防止し得るから、不正行為の実行を断念させることに繋がり、高い不正効果の抑止効果を期待できる。しかも、主制御基板２２の実装面２２ａへの不正器具の侵入が困難になるから、不正行為の目的が達成されるのを防止できる。
【００６０】
更に、ベース部材３０およびカバー部材５０を閉塞位置にスライド変位させた状態では、カバー部材５０の係合突部５７ａ,５７ｂがベース部材３０における対応する係合凹部３２ａ,３３ａと嵌合すると共に、当該係合突部５７ａ,５７ｂが対応する上下のベース側外壁部３２,３３に圧接するようになっている。すなわち、前記係合突部５７ａ,５７ｂが対応する係合凹部３２ａ,３３ａと嵌合した状態において、上側の係合突部５７ａがベース側上外壁部３２を上方へ付勢するよう圧接すると共に、下側の係合突部５７ｂがベース側下外壁部３３を下方へ付勢するよう圧接しているから、例えばベース側上外壁部３２を上方へ押し上げたり、カバー側上外壁部５２を下方へ押し下げようとしてしても、下側の係合突部５７ｂとベース側下外壁部３３との付勢によりベース側上外壁部３２やカバー側上外壁部５２を容易には変位させることができず、基板ケース２５に対する不正器具の侵入を抑止できる。同様に、ベース側下外壁部３３を下方へ押し下げたり、カバー側下外壁部５３を上方へ押し上げようとしてしても、上側の係合突部５７ａとベース側上外壁部３２との付勢によりベース側下外壁部３３やカバー側下外壁部５３を容易には変位させることができず、基板ケース２５に対する不正器具の侵入を抑止できる。
【００６１】
更に、前記ベース部材３０およびカバー部材５０を閉塞位置に相対的にスライド変位させた際に、各係合凹部３２ａ,３３ａに、カバー部材５０の係合突部５７ａ,５７ｂが嵌合することで、当該ベース部材３０およびカバー部材５０の閉塞位置から開放位置へのスライド変位を抑制してベース部材３０およびカバー部材５０を閉塞位置で仮止めすることができる。そして、前記上下のベース側外壁部３２,３３の夫々に凹状部３２ｂ,３３ｂを形成したことで、ベース部材３０およびカバー部材５０を開放位置から閉塞位置に至る手前の間で相対的にスムーズにスライドさせることができ、組み付け等の作業性に優れた基板ケース２５を構成することができる。また、ベース部材３０およびカバー部材５０を閉塞位置に相対的にスライド変位させる際には、閉塞位置に至る手前で各係合突部３２ａ,３３ａが対応する上下のベース側外壁部３２,３３に圧接することで、ベース部材３０およびカバー部材５０の相対的なスライド移動の抵抗となり、基板ケース２５を閉じる際の衝撃を緩和できる。
【００６２】
また、前記ベース部材３０およびカバー部材５０を閉塞位置から開放位置に向けて相対的にスライドさせた際に、当該カバー部材５０に形成した上下の規制突部５８ａ,５８ｂがベース部材３０における第１の上下の内壁部３６ａ,３７ａの係合端部３８ａ,３８ｂに当接することで開放位置が規定される。すなわち、ベース部材３０およびカバー部材５０を開放方向へスライド変位させた際に、これらベース部材３０およびカバー部材５０が直ちに分離しないから、基板ケース２５を開閉する際の操作性を高めることができる。
また、実施例の基板ケース２５を開放する際には、前述したように係合凹部３２ａ,３３ａに対してカバー部材５０の係合突部５７ａ,５７が嵌合および圧接した状態で操作を行う必要があり、ベース部材３０およびカバー部材５０が予期せず勢いよく開放されることが起こり得るものの、第１の上下の内壁部３６ａ,３７ａの係合端部３８ａ,３８ｂに上下の規制突部５８ａ,５８ｂが当接してスライド移動が規制されることから、ベース部材３０やカバー部材５０の外壁部に亀裂や破断が生じて基板ケース２５の密閉性が損なわれるのを防止できる。このとき、開放位置において当接する前記第１の上下の内壁部３６ａ,３７ａの係合端部３８ａ,３８ｂは、前記上下のベース側外壁部３２,３３よりも収納空間２５ａ側に位置するよう設けられ、同じく開放位置において当接する前記上下の規制突部５８ａ,５８ｂは、前記上下のカバー側外壁部５２,５３よりも収納空間２５ａ側に位置するよう設けられているから，係合端部３８ａ,３８ｂと上下の規制突部５８ａ,５８ｂとの当接に伴ってこれらの外壁部３２,３３,５２,５３に亀裂や破断が生ずるのを効果的に防止できる。ここで、上下の規制突部５８ａ,５８ｂは、前記スライド方向と交差する方向に延在するよう上下のカバー側外壁部５２,５３に形成されているから、係合端部３８ａ,３８ｂと上下の規制突部５８ａ,５８ｂとの当接に伴う衝撃を効果的に分散させることができると共に、当該外壁部５２,５３よりも先に上下の規制突部５８ａ,５８ｂが損傷することで、外壁部５２,５３を保護するようになっている。
【００６３】
そして、実施例のベース部材３０は、ベース部材３０およびカバー部材５０の開放位置を規定する前記第１の上下の内壁部３６ａ,３７ａの係合端部３８ａ,３８ｂに、前記第２の上下の内壁部３６ｂ,３７ｂが連設すると共に、当該第２の上下の内壁部３６ｂ,３７ｂを主制御基板２２のハンダ面２２ｂに摺接するよう構成したことで、ベース部材３０およびカバー部材５０の開閉動作に伴う前記上下の規制突部５８ａ,５８ｂの移動領域(第２のベース側溝部３９ｂ,３９ｂ)と収納空間２５ａとを、当該第２の上下の内壁部３６ｂ,３７ｂで隔離することができる。すなわち、上下の規制突部５８ａ,５８ｂの移動領域(第２のベース側溝部３９ｂ,３９ｂ)に無駄な隙間が生じて不正器具の侵入経路として利用されることはない。
【００６４】
更に、前記基板ケース２５は、前述のように、ベース部材３０およびカバー部材５０を開放位置から閉塞方向へスライド変位させる場合に、ベース部材３０およびカバー部材５０が閉塞位置に至る前のタイミングで、前記係合突部５７ａ,５７ｂが対応する上下のベース側外壁部３２,３３に圧接するだけでなく、ベース側連結部９１における囲繞壁９３の上下の縁部９３ａ,９３ｂの間に、カバー側連結部９５の連結嵌合部９７が圧接するようになっている。これにより、ベース部材３０およびカバー部材５０が開放位置から閉塞位置へスライドさせる際の抵抗となるから、ベース部材３０およびカバー部材５０を閉塞位置に至る手前で閉塞位置を規定する部材(具体的には、側方規制部３５と嵌挿筒部６７の関係、側方規制部３５とカバー側左外壁部５５の関係)の衝突を緩和することができ、ベース部材３０およびカバー部材５０に亀裂や破断が生じて基板ケース２５の密閉性が損なわれるのを防止できる。なお、基板ケース２５のスライド変位の際に圧接する部位を複数箇所に設けることで、圧接に伴う応力を効果的に分散させることができる。
【００６５】
(変更例)
なお、遊技機の構成は、前述したものに限られず、種々に変更することが可能である。以下にその一例を示す。
【００６６】
(１)  実施例では、ベース側溝部にカバー側規制壁部が臨むと共にカバー側溝部にベース側規制壁部が臨む状態において、各溝部および規制壁部により形成される間隙が収納空間の内外方向に交差する方向へ２回折り返す蛇行形状に形成したが、これに限られるものではない。すなわち、当該各溝部および規制壁部により形成される間隙が収納空間の内外方向に交差する方向へ３回以上折り返す蛇行形状とした場合でも、実施例と同様の作用効果を期待できる。なお、前記間隙が収納空間の内外方向に交差する方向へ折り返す回数によって、収納空間への不正部材の挿入をより困難にすることができる。なお、図１１(ａ)には、ベース部材３０の同一縁部に平行な３条のベース側規制壁部１５０,１５０,１５０を形成して、当該ベース側規制壁部１５０,１５０,１５０の間に２条のベース側溝部１５２,１５２を形成すると共に、カバー部材５０において、ベース側溝部１５２,１５２が形成された形成縁部と対応する縁部に平行な２条のカバー側規制壁部１５４,１５４を形成して、当該カバー側規制壁部１５４,１５４の間に１条のベース側溝部１５６を形成し、当該溝部１５４,１５４,１５４,１５６および規制壁部１５０,１５０,１５０,１５４,１５４により形成される間隙が前記収納空間２５ａの内外方向に交差する方向へ３回折り返す蛇行形状をなすよう構成を例示してある。
(２)  実施例では、ベース側規制壁部としての上下の内壁部３６,３７がベース側溝部３９の内壁面を形成し、カバー側規制壁部としての上下のカバー側外壁部５２,５３がカバー側溝部５９の内壁面を形成するようにしたが、これに限られるものではない。すなわち、図１１(ｂ)に示すように、ベース側溝部３９を形成する壁部１６０,１６０とは独立してベース側規制壁部１６２をベース部材３０に形成したり、カバー側溝部５９を形成する壁部１６４,１６４とは独立してカバー側規制壁部１６６をカバー部材５０に形成する構成であっても、間隙Ｓが収納空間２５ａの内外方向に交差する方向へ複数回折り返す蛇行形状をなすよう形成することができる。
(３)  実施例では、ベース側溝部およびカバー側溝部の内底面(反対側の規制壁部の端出端部に対向する前面または後面)を、制御基板と平行となる形態で当該ベース側溝部およびカバー側溝部が形成されているが、これに限られるものではなく、ベース側溝部およびカバー側溝部の内底面を傾斜状に形成してもよい。例えば、図１１(ｃ)に示すように、カバー側溝部５９の内底面１６８を、主制御基板２２の外周端面２４から離間位置する外側端部を基準として、主制御基板２２の外周端面２４に近接位置する内側端部に向かうにつれて後方へ傾斜する傾斜状とすることで、カバー側溝部５９の内底面１６８まで侵入された不正器具を、内底面１６８の傾斜によって収納空間２５ａから遠ざける方向に誘導することができ、不正器具が収納空間２５ａに到達するのをより効果的に防止することができる
(４)  実施例では、制御基板の外周端面がカバー側溝部の内壁面の一部を形成するように構成したが、制御基板の外周端面がベース側溝部の一部を形成するようにしてもよく、また当該溝部の一部を制御基板の外周端面形成しない構成とすることも可能である。
(５)  実施例では、制御基板の実装面を覆うカバー部材に当該制御基板を取り付けるよう構成したが、制御基板のハンダ面を覆うベース部材に制御基板を取り付ける構成であってもうよい。なお、制御基板の一方の面に電子部品を集約する構成に限らず、制御基板の両面に電子部品を分散して実装するようにしてもよい。
(６)  実施例では、基板ケースに主制御基板を収納した主制御装置を例にして説明したが、制御装置の種類はこれに限られるものではない。すなわち、制御用電子部品を実装した制御基板が収納された基板ケースに対して好適に適用可能である。
(７)  実施例では、基板ケースのスライド方向を左右方向としたが、上下方向であってもよい。また、基板ケースのスライド方向は基板ケースの長手方向に限られず、基板ケースの短手方向としてもよい。
(８)  実施例では、ベース側溝部にフック受部を設けると共に、カバー側規制壁部にスライドフックを設けたが、フック受部およびスライドフックは溝部および規制壁部とは別の部位に設けてもよい。
(９)  実施例では、遊技機としてパチンコ機を例示して説明したが、これに限られるものではなく、制御用電子部品を実装した制御基板が収納された基板ケースを備えた遊技機であればスロットマシン機やアレンジボール機やピンボール機等の従来公知の各種遊技機に適用できる。
【００６７】
また、本願には次のような技術的思想が含まれている。
(Ａ)  請求項３記載の構成を含む遊技機に関し、
前記ベース部材(30)において前記スライド方向に位置する端部から前記カバー部材(50)へ向けて延出し、当該ベース部材(30)の外面を形成するベース側外壁部(32,33)と、
前記カバー部材(50)において前記スライド方向に位置する端部から前記ベース部材(30)へ向けて延出し、当該カバー部材(50)の外面を形成するカバー側外壁部(52,53)と、
前記ベース部材(30)において前記ベース側外壁部(32,33)より前記収納空間(25a)の内側に設けられたベース側開放位置規定部(38a,38b)と、
前記カバー部材(50)において前記カバー側外壁部(52,53)より前記収納空間(25a)の内側に設けられたカバー側開放位置規定部(58a,58b)とを備え、
前記ベース側開放位置規定部(38a,38b)およびカバー側開放位置規定部(58a,58b)が当接することで、当該ベース部材(30)およびカバー部材(50)の前記開放位置が規定される。
この構成では、ベース側開放位置規定部とカバー側開放位置規定部とが当接してベース部材およびカバー部材の開放位置を規定するよう構成したことで、ベース部材およびカバー部材を開放方向へスライド変位してもこれらベース部材およびカバー部材が直ちに分離しないから、基板ケースを開閉する際の操作性を高めることができる。
ここで、基板ケースを開放する際には、第１および第２の係合部の圧接状態を解除し得る力を加えてベース部材およびカバー部材を相対的にスライド変位させることとなる。この場合に、基板ケースが勢いよく開放されることに起因してベース部材やカバー部材の外壁部に予期せぬ亀裂や破断が生じる可能性がある。このような亀裂や破断が生じると、基板ケースの密閉性が損なわれ、不正行為が行われる原因にもなりかねない。
これに対し、ベース側開放位置規定部をベース側外壁部より収納空間の内側に設けると共に、カバー側開放位置規定部をカバー側外壁部より収納空間の内側に設け、これらの開放位置規定部の当接により開放位置を規定することで、ベース部材やカバー部材の外壁部に亀裂や破断が生じて基板ケースの密閉性が損なわれるのを防止できる。
(Ｂ)  前記(Ａ)記載の構成を含む遊技機に関し、
前記ベース部材(30)およびカバー部材(50)の一方(50)に設けられた前記規制壁部(36,37,52,53)の内面から前記収納空間(25a)の内側に突出する規制突部(58a,58b)が設けられて、当該規制突部(58a,58b)がベース部材(30)およびカバー部材(50)の他方(30)に設けられた規制壁部(36,37,52,53)の延在方向の端部に対向し、当該規制突部(58a,58b)および規制壁部(36,37,52,53)の延在方向の端部が当接することで、ベース部材(30)およびカバー部材(50)の前記開放位置が規定されるよう構成されると共に、
前記規制壁部(36,37)の延在方向の端部に、前記制御基板(22)に摺接する摺接壁部(36b,37b)が連設される。
この構成では、規制突部との当接によってベース部材およびカバー部材の開放位置を規定する開放位置規制部に摺接壁部を連設することで、収納空間側への隙間が摺接壁部によって塞がれる。従って、規制突部および開放位置規制部の端部が当接してベース部材およびカバー部材の開放位置を規定する構成であっても、開放位置規制部の端部と規制突部とが対向する領域に隙間が生じて不正器具の侵入経路として利用されることはない。
(Ｃ)  前記(Ａ)記載の構成を含む遊技機に関し、
前記ベース側外壁部(32,33)から外方へ突出するベース側連結部(91)が設けられると共に、前記カバー側外壁部(52,53)から外方へ突出して前記ベース側連結部(91)に対して解除不能に結合されるカバー側連結部(95)が設けられ、
前記ベース部材(30)およびカバー部材(50)を前記開放位置から閉塞位置に相対的にスライド変位させた際に、両連結部(91,95)が圧接して、閉塞位置から開放位置へのスライド変位を抑制するよう構成される。
この構成では、ベース部材およびカバー部材を開放位置から閉塞方向へスライド変位させる場合に、ベース部材およびカバー部材が閉塞位置に至る前のタイミングで、第１および第２の係合部が圧接し、かつベース側連結部とカバー側連結部とが圧接する。これにより、ベース部材およびカバー部材の閉塞位置を規定する壁部同士の衝突圧力を緩和することができるため、ベース部材およびカバー部材の閉塞位置を規定する壁部に亀裂や破断が生じて基板ケースの密閉性が損なわれるのを防止できる。また、基板ケースを開放する際に連結部を破壊した場合には、該連結部の圧接力が解除されるから、正規な目的で基板ケースを開放する場合のベース部材およびカバー部材の開放方向へのスライド変位を連結部同士の圧接力が阻害することはない。
【符号の説明】
【００６８】
２２  主制御基板(制御基板)
２３ａ  電子部品
２４  外周端面
２５  基板ケース
２５ａ  収納空間
３０  ベース部材
３１  ベース側対向壁部(対向壁部)
３２ａ  外壁右端部(第１の係合部)
３３ａ  外壁右端部(第１の係合部)
３５  側方規制部
３６  上内壁部(ベース側規制壁部)
３７  下内壁部(ベース側規制壁部)
３８ａ  第１の上内壁部の係合端部(第１の係合部)
３８ｂ  第１の下内壁部の係合端部(第１の係合部)
３９  ベース側溝部
５０  カバー部材
５１  カバー側対向壁部(対向壁部)
５２  上周壁部(カバー側規制壁部)
５３  下周壁部(カバー側規制壁部)
５５  カバー側左外壁部(外壁部)
５８ａ  上側規制突部(第２の係合部)
５８ｂ  下側規制突部(第２の係合部)
５９  カバー側溝部
Ｓ  間隙
【図１】
2015047310.tif 000003
【図２】
2015047310.tif 000004
【図３】
2015047310.tif 000005
【図４】
2015047310.tif 000006
【図５】
2015047310.tif 000007
【図６】
2015047310.tif 000008
【図７】
2015047310.tif 000009
【図８】
2015047310.tif 000010
【図９】
2015047310.tif 000011
【図１０】
2015047310.tif 000012
【図１１】
2015047310.tif 000013